(57)【要約】【課題】  布団と乾燥用パットを一体化することで、お年寄りにも布団乾燥機等で布団の乾燥や就寝前の保温の操作が簡単にできる布団を提供すること。【解決手段】表生地６と低通気性中地８の間及び低通気性中地９と裏生地７の間に羽毛、羊毛、ポリエステル、綿等の保温材１３を充填し、低通気性中地８と低通気性中地９の間に吸入口１７を縦方向又は、横方向に設け周縁を接合し、表生地６と低通気性中地８、低通気性中地９、裏生地７の４枚を重ね合せて、縦方向又は、横方向に直接キルトすることで、低通気性中地８と低通気性中地９の空間１４に乾燥用パット２１を形成することでの取り付け取り外しの必要がなく簡単に操作できる。【選択図】  図１
2007252488.tif 000002
【特許請求の範囲】
【請求項１】
表生地６と低通気性中地８の間及び低通気性中地９と裏生地７の間に羽毛、羊毛、ポリエステル、綿等の保温材１３を充填し、低通気性中地８と低通気性中地９の間に吸入口１７を縦方向又は、横方向に設け周縁を接合し、表生地６と低通気性中地８、低通気性中地９、裏生地７の４枚を重ね合せて、縦方向又は、横方向に直接キルトすることで、低通気性中地８と低通気性中地９の空間１４に送風路２１を形成し、温風や冷風を吹き込むことを特徴とする布団。
【請求項２】
表生地６と低通気性中地８、低通気性中地９の３枚を重ね合せて、表生地６と低通気性中地８の間に羽毛、羊毛、ポリエステル、綿等の保温材１３を充填し、低通気性中地８と低通気性中地９の間に吸入口１７を縦方向又は、横方向に設け周縁を接合し、縦方向又は、横方向に直接キルトすることで、低通気性中地８と低通気性中地９の空間１４に送風路２１を形成し、表生地６と低通気性中地８、低通気性中地９の重ね合わせた３枚と裏生地７をファスナー１８等で取り付けることで、低通気性中地９と裏生地７の間に布団１の出し入れができ、送風路２１に温風や冷風を吹き込むことを特徴とする布団。
【請求項３】
表生地６と低通気性中地８、低通気性中地９の３枚を重ね合せ、表生地６と低通気性中地８の間に羽毛、羊毛、ポリエステル、綿等の保温材１３を充填し、低通気性中地８と低通気性中地９の間に吸入口１７を縦方向又は、横方向に設け周縁を接合し、縦方向又は、横方向に直接キルトすることで、送風路２１を形成した布団２と、低通気性中生地１０と裏生地７の間に羽毛、羊毛、ポリエステル、綿等の保温材１３を充填した布団３の周縁を接合し、送風路２１に温風を吹き込むことを特徴とする布団。
【請求項４】
布団２と布団３の間に硬綿、ウレタン等１９を入れた請求項３に記載の布団。
【請求項５】
表生地６と中生地１１の間に羽毛、羊毛、ポリエステル、綿等の保温材１３を充填した布団４と、中生地１２と裏生地７の間に羽毛、羊毛、ポリエステル、綿等の保温材１３を充填した布団５を、重ね合わせて吸入口１７を縦方向又は、横方向に設け周縁を接合し、その空間に乾燥用パット２０を装着して温風を吹き込むことを特徴とする布団。
【請求項６】
硬綿、ウレタン等１９の片面に乾燥用パット２０を装着した請求項５に記載の布団。
【請求項７】
硬綿、ウレタン等１９の２枚の間に乾燥用パット２０を装着した請求項５に記載の布団。
【請求項８】
吸入口１７を複数設け送風２１を布団の周辺、中央、全体等の複数箇所に設定できるようにした請求項１、２、３又は、５のいずれかに記載の布団。
【発明の詳細な説明】
【技術分野】
【０００１】
本発明は、布団乾燥機等で布団の乾燥や保温するための、構造を備えた布団に関するものである。
【背景技術】
【０００２】
従来は布団を乾燥する時、布団乾燥機等で袋状の乾燥用パットを掛布団と敷布団の間に入れて使用していた。
【０００３】
また、布団乾燥機用の乾燥用パットは、生地がポリ塩化ビニル、ナイロンでありそのまま使用するには、吸湿性がなく柔らかい質感がえられない（例えば、特許文献１、特許文献２参照）。
【特許文献１】特許第３３４５８３１号公報
【特許文献２】特開２００２−３３６１０９公報
【発明の開示】
【発明が解決しようとする課題】
【０００４】
従来公知の乾燥や保温するのに布団乾燥機等の取り付け、取り外しが面倒で大変であった。
【０００５】
本発明は、このような従来の問題を解決しようとするものであり、吸湿性がある乾燥用パットを布団と一体にすることで、取り付けや取り外しが簡単にでき短時間に乾燥や保温ができる布団を提供することを目的とするものである。
【課題を解決するための手段】
【０００６】
上記目的を達成するため、表生地６と低通気性中地８の間及び低通気性中地９と裏生地７の間に羽毛、羊毛、ポリエステル、綿等の保温材１３を充填し、低通気性中地８と低通気性中地９の間に吸入口１７を縦方向又は、横方向に設け周縁を接合し、表生地６と低通気性中地８、低通気性中地９、裏生地７の４枚を重ね合せて、縦方向又は、横方向に直接キルトすることで、低通気性中地８と低通気性中地９の空間１４に送風路２１を形成し、温風や冷風を吹き込むことで乾燥及び保温することができる。
【０００７】
請求項２の発明は、表生地６と低通気性中地８、低通気性中地９の３枚を重ね合せて、表生地６と低通気性中地９の間に羽毛、羊毛、ポリエステル、綿等を保温材１３として充填し、低通気性中地８と低通気性中地９の間に吸入口１７を縦方向又は、横方向に設け周縁を接合し、縦方向又は、横方向に直接キルトすることで、低通気性中地８と低通気性中地９の空間１４に送風路２１を形成し、表生地５と低通気性中地８、低通気性中地９の重ね合わせた３枚と裏生地７をファスナー１８等で取り付けることで、低通気性中地９と裏生地７の間に布団１の出し入れができ、厚手の布団として使用でき送風路２１に温風や冷風を吹き込むことで乾燥及び保温することができる。
【０００８】
請求項３の発明は、表生地６と低通気性中地８、低通気性中地９の３枚を重ね合せ、表生地６と低通気性中地８の間に羽毛、羊毛、ポリエステル、綿等を保温材１３として充填し、低通気性中地８と低通気性中地９の間に吸入口１７を縦方向又は、横方向に設け周縁を接合し、縦方向又は、横方向に直接キルトすることで、送風路２２を形成した布団２と、低通気性中生地１０と裏生地７の間に羽毛、羊毛、ポリエステル、綿等を保温材１３として充填した布団３の周縁を接合し、送風路２１に温風や冷風を吹き込むことで乾燥及び保温することができる。
【０００９】
請求項４の発明は、請求項３に記載の布団に於いて、布団２と布団３の間に硬綿、ウレタン等１９を入れた厚手の布団として保温性を高めることができる。
【００１０】
請求項５の発明は、表生地６と中生地１１の間に羽毛、羊毛、ポリエステル、綿等の保温材１３を充填した布団４と、中生地１１と裏生地７の間に羽毛、羊毛、ポリエステル、綿等の保温材１３を充填した布団５を、重ね合わせて吸入口１７を縦方向又は、横方向に設け周縁を接合し、その空間に乾燥用パット２０を装着して温風を吹き込むことで乾燥及び保温することができる。
【００１１】
請求項６の発明は、請求項５に記載の布団に於いて、硬綿、ウレタン等１９の片面に乾燥用パット２０を装着する構成とした。
【００１２】
請求項７の発明は、請求項５に記載の布団に於いて、硬綿、ウレタン等１９の２枚の間に乾燥用パット２０を装着する構成とした。
【００１３】
請求項８の発明は、請求項１，２，３又は、５記載の布団に於いて、吸入口１７を複数設け送風２２を布団の周辺、中央、全体等の複数箇所に設定することができる。
【発明の効果】
【００１４】
上述したように本発明の布団は、乾燥用パットを布団と一体化することで布団の乾燥や保温が簡単にできる布団を提供できる。
【００１５】
また、硬綿、ウレタン等の間に乾燥用パットを挟んで使用することで更に保温力を増すことができる布団を提供できる。
【発明を実施するための最良の形態】
【００１６】
以下、本発明の実施の形態を図１〜図２２に基づいて説明する。
【実施例１】
【００１７】
これらの図において、表生地６と低通気性中地８の間及び低通気性中地９と裏生地７の間に羽毛、羊毛、ポリエステル、綿等の保温材１３を充填し、低通気性中地８と低通気性中地９の間に吸入口１７を縦方向又は、横方向に設け周縁を接合し、表生地６と低通気性中地８、低通気性中地９、裏生地７の４枚を重ね合せて、縦方向又は、横方向に直接キルトすることで、低通気性中地８と低通気性中地９の空間１４に送風路２１を形成したものである。
【００１８】
図２は、図１におけるＡ−Ａ線に沿う断面図であり、図３は、図１におけるＢ−Ｂ線に沿う断面図であり保温材１３を投入し温風または、冷風を送風２３した状態を示した図である。
【００１９】
図４また図５は、キルトパターンを変えた送風路２１の一例である。
【実施例２】
【００２０】
図６は、表生地６と低通気性中地８、低通気性中地９の３枚を重ね合せて、表生地６と低通気性中地８の間に羽毛、羊毛、ポリエステル、綿等の保温材１３を充填し、低通気性中地８と低通気性中地９の間に吸入口１７を縦方向又は、横方向に設け周縁を接合し、縦方向又は、横方向に直接キルトすることで、低通気性中地８と低通気性中地９の空間１４に送風路２１を形成し、表生地６と低通気性中地８、低通気性中地９の重ね合わせた３枚と裏生地７をファスナー１８等で取り付けることで、低通気性中地９と裏生地７の間に布団１の出し入れができ、送風路２１を形成した状態を示したものである。
【００２１】
図７は、図６におけるＡ−Ａ線に沿う断面図であり、図８は、図６におけるＢ−Ｂ線に沿う断面図であり保温材１３を投入し、布団１を入れ温風又は、冷風を送風２１した状態を示した図である。
【実施例３】
【００２２】
図９は、表生地６と低通気性中地８、低通気性中地９の３枚を重ね合せ、表生地６と低通気性中地８の間に羽毛、羊毛、ポリエステル、綿等の保温材１３を充填し、低通気性中地８と低通気性中地９の間に吸入口１７を縦方向又は、横方向に設け周縁を接合し、縦方向又は、横方向に直接キルトすることで、送風路２１を形成した布団２と、低通気性中生地１０と裏生地７の間に羽毛、羊毛、ポリエステル、綿等の保温材１３を充填した布団３の周縁を接合し、送風路２１を形成した状態を示したものである。
【００２３】
図１０は、図９におけるＡ−Ａ線に沿う断面図であり、図１１は、図９におけるＢ−Ｂ線に沿う断面図であり保温材１３を投入し、低通気性中地８と低通気性中地９の空間１４に送風路２１を形成した状態に温風又は、冷風を送風２２した状態を示した図である。
【００２４】
図１２は、図９におけるＡ−Ａ線に沿う断面図であり、図１３は、図９におけるＢ−Ｂ線に沿う断面図であり保温材１３を投入し、布団２と布団３の間に硬綿、ウレタン等１９を入れて、低通気性中地８と低通気性中地９の空間１４に送風路２１を形成した状態に温風又は、冷風を送風２２した状態を示した図である。
【実施例４】
【００２５】
図１４は、表生地６と中生地１１の間に羽毛、羊毛、ポリエステル、綿等の保温材１３を充填した布団４と、中生地１２と裏生地７の間に羽毛、羊毛、ポリエステル、綿等の保温材１３を充填した布団５を、重ね合わせて吸入口１７を縦方向又は、横方向に設け周縁を接合し、その空間に乾燥用パット２０を装着した状態に温風又は、冷風を送風２２した状態を示した図である。
【００２６】
図１５は、図１４におけるＡ−Ａ線に沿う断面図であり、図１６は、図１４におけるＢ−Ｂ線に沿う断面図であり保温材１３を投入し、布団４と布団５の間に乾燥用パット２０取り付け温風又は、冷風を送風２２した状態を示した図である。
【００２７】
図１７は、図１４におけるＡ−Ａ線に沿う断面図であり、図１８は、図１４におけるＢ−Ｂ線に沿う断面図であり保温材１３を投入し、布団４と布団５の間に硬綿、ウレタン等１９の片面に乾燥用パット２０取り付け温風又は、冷風を送風２３した状態を示した図である
【００２８】
図１９は、図１４におけるＡ−Ａ線に沿う断面図であり、図２０は、図１４におけるＢ−Ｂ線に沿う断面図であり保温材１３を投入し、布団４と布団５の間に硬綿、ウレタン等１９の２枚の間に乾燥用パット２０取り付け温風又は、冷風を送風２２した状態を示した図である
【実施例５】
【００２９】
図２１は、表生地６と低通気性中地８、低通気性中地９、裏生地７を４枚重ね合せ、低通気性中地８と低通気性中地９の空間１４に吸入口１７を縦方向または横方向に設け周縁を接合して、表生地６と低通気性中地８の間及び低通気性中地９と裏生地７の間に羽毛、羊毛、ポリエステル、綿等の保温材１３を充填して、直接キルトし低通気性中地８と低通気性中地９の空間１４を、周辺Ｆ、中央Ｅ、全体Ｄ等の複数を設け吸入口Ａ、吸入口Ｂ、吸入口Ｃを形成した状態を示したものである。
【００３０】
図２２は、図２１における吸入口１７の拡大図で周辺Ｆ、中央Ｅ、全体Ｄ等を複数の吸入口Ａ、吸入口Ｂ、吸入口Ｃを形成した状態を示した図である。
【産業上の利用可能性】
【００３１】
布団と乾燥パットを一体にすることで、布団の乾燥及び保温するのに取り付け取り外しが簡単にできる。
【図面の簡単な説明】
【００３２】
【図１】本発明の第一の実施例を示す布団の平面図である。
【図２】布団に送風した状態の図１におけるＡ−Ａ線に沿う断面図である。
【図３】布団に送風した状態の図１におけるＢ−Ｂ線に沿う断面図である。
【図４】布団の一例の平面図である。
【図５】布団の一例の平面図である。
【図６】本発明の第二の実施例を示す布団の平面図である。
【図７】布団に布団１を入れ送風した状態の図６におけるＡ−Ａ線に沿う断面図である。
【図８】布団に布団１を入れ送風した状態の図６におけるＢ−Ｂ線に沿う断面図である。
【図９】本発明の第三の実施例を示す布団の平面図である。
【図１０】布団に送風した状態の図９におけるＡ−Ａ線に沿う断面図である。
【図１１】布団に送風した状態の図９におけるＢ−Ｂ線に沿う断面図である。
【図１２】布団に硬綿、ウレタン等を入れ送風した状態の図９におけるＡ−Ａ線に沿う断面図である。
【図１３】布団に硬綿、ウレタン等を入れ送風した状態の図９におけるＢ−Ｂ線に沿う断面図である。
【図１４】本発明の第四の実施例を示す布団４と布団５の間に乾燥パットを挟んで送風した状態の断面図である。
【図１５】布団に送風した状態の図１４におけるＡ−Ａ線に沿う断面図である。
【図１６】布団に送風した状態の図１４におけるＢ−Ｂ線に沿う断面図である。
【図１７】布団に送風し硬綿、ウレタン等の片面に乾燥パット装着した状態の図１４におけるＡ−Ａ線に沿う断面図である。
【図１８】布団に送風し硬綿、ウレタン等の片面に乾燥パット装着した状態の図１４におけるＢ−Ｂ線に沿う断面図である。
【図１９】布団に送風し硬綿、ウレタン等の２枚の間に乾燥パット装着した状態の図１４におけるＡ−Ａ線に沿う断面図である。
【図２０】布団に送風し硬綿、ウレタン等の２枚の間に乾燥パット装着した状態の図１４におけるＢ−Ｂ線に沿う断面図である。
【図２１】本発明の第五の実施例を示す布団の平面図である。
【図２２】図２１における吸入口の拡大図である。
【符号の説明】
【００３３】
１  布団
２  布団
３  布団
４  布団
５  布団
６  表生地
７  裏生地
８  低通気性中生地
９  低通気性中生地
１０低通気性中生地
１１中生地
１２中生地
１３保温材
１４空間
１５縦キルト
１６横キルト
１７吸入口
１８ファスナー
１９硬綿、ウレタン
２０乾燥パット
２１送風路
２２送風
Ａ  吸入口
Ｂ  吸入口
Ｃ  吸入口
Ｄ  送風全体
Ｅ  送風中央
Ｆ  送風周辺
Ｇ  送風路中央
Ｈ  送風路周辺
【図１】
2007252488.tif 000003
【図２】
2007252488.tif 000004
【図３】
2007252488.tif 000005
【図４】
2007252488.tif 000006
【図５】
2007252488.tif 000007
【図６】
2007252488.tif 000008
【図７】
2007252488.tif 000009
【図８】
2007252488.tif 000010
【図９】
2007252488.tif 000011
【図１０】
2007252488.tif 000012
【図１１】
2007252488.tif 000013
【図１２】
2007252488.tif 000014
【図１３】
2007252488.tif 000015
【図１４】
2007252488.tif 000016
【図１５】
2007252488.tif 000017
【図１６】
2007252488.tif 000018
【図１７】
2007252488.tif 000019
【図１８】
2007252488.tif 000020
【図１９】
2007252488.tif 000021
【図２０】
2007252488.tif 000022
【図２１】
2007252488.tif 000023
【図２２】
2007252488.tif 000024